(57)【特許請求の範囲】
【請求項１】
水道本管から分岐して設けられた二次側配管と、該二次側配管に設けられた閉鎖型スプリンクラヘッドとを住戸内に備えたスプリンクラ消火設備において、
前記住戸の外にカーポートを設け、該カーポートに開放型ヘッドを設けると共に、
前記二次側配管から分岐して、常時は閉じた弁を設け、該弁の二次側に外部配管を接続し、該外部配管に前記開放型ヘッドを接続したこと特徴とするスプリンクラ消火設備。
【請求項２】
前記カーポートに火災感知器を設け、前記弁を、該火災感知器が動作した時に開放する電動弁で構成したことを特徴とする請求項１記載のスプリンクラ消火設備。
【発明の詳細な説明】
【０００１】
【発明の属する技術分野】
本発明は、水道水を使用した家庭用の消火設備に関するものである。
【０００２】
【従来の技術】
従来、水道本管から配管を分岐して、その分岐した二次側配管にスプリンクラヘッドを取り付けた一般家庭用のスプリンクラ消火設備がある。二次側配管内は常時は充水されており、配管の末端に設けた給水栓を適宜開放することで、配管内を流水させて、二次側配管内に水が停滞しないようにしてある。
【０００３】
【発明が解決しようとする課題】
二次側配管の末端に設けられる給水栓は、飲み水用としてはあまり適していない。このため末端の給水栓の設置する場所は、通常、トイレのロータンクなどに限られている。このスプリンクラ消火設備は、住宅内の火災を消火することができるが、近年、外部からの放火による住宅火災が多く、現状の家庭用のスプリンクラ消火設備では、放火による外側からの火災には適していない。
【０００４】
【課題を解決するための手段】
本発明は以上の問題点を解決するためになされたもので、水道本管から分岐して設けられた二次側配管と、該二次側配管に設けられた閉鎖型スプリンクラヘッドとを住戸内に備えたスプリンクラ消火設備において、住戸の外にカーポートを設け、該カーポートに開放型ヘッドを設けると共に、二次側配管から分岐して、常時は閉じた弁を設け、該弁の二次側に外部配管を接続し、該外部配管に前記開放型ヘッドを接続したこと特徴とするものである。
また、カーポートに火災感知器を設け、弁を、火災感知器が動作した時に開放する電動弁で構成したことを特徴とするものである。
【０００６】
【発明の実施の形態】
図１はスプリンクラ消火設備のシステム図である。図において、Ｈは一戸建ての住戸で、住戸Ｈには、給水源としての水道本管１から分岐して二次側配管２が設けられている。二次側配管２にはスプリンクラヘッド３が設けられ、スプリンクラ消火設備の主要部が構成されている。
【０００７】
５はスプリンクラヘッド３の動作に伴う流水を検知する流水検知装置で、二次側配管２の基端側に設けられる。この流水検知装置５と水道本管１の間には、逆止弁６及び手動の停止弁７（止水弁とも言う）が設けられている。
【０００８】
１０は二次側配管の末端側に設けた定流量弁で、その先端には末端給水栓１１が設けられる。この定流量弁１０の流量は１０Ｌ／min.で、これにより末端給水栓１１の流量は制限されている。なお流水検知装置５の作動流量はスプリンクラヘッド３の流量より小さく、かつ、定流量弁１０の流量より大きく設定されている。このようにすることで、末端給水栓１１の使用では、流水検知装置５は動作しない。従って、流水検知装置５は、スプリンクラヘッド３の動作による二次側配管２内の流水だけを検知できる。
【０００９】
１２は水道本管１に設けた水道メータで、水道メータ１２の二次側には、手動の停止弁１３が設けられる。この停止弁１３は住戸Ｈの外に設置されている。１４は水道本管１から分岐して設けられた配管の先端に取り付けられた生活用の給水栓である。
【００１０】
２０は警報盤で、流水検知装置５及び図示しない火災感知器等の火災検知手段と接続され、流水検知装置５が動作した時に、ブザーなどを鳴らして火災が発生した事（スプリンクラヘッド３が動作した事）を報知する。
【００１１】
２５は二次側配管２の末端側から分岐して設けられた常時は閉じた弁である。この弁２５の詳細は、図２に描かれている。弁２５は、２つの弁２５ａ及び２５ｂから構成される。弁２５ａは手動の開閉弁、２５ｂは火災感知器４０によって開放される電動弁である。弁２５の二次側には外部配管２６が設けられる。弁２５ａ，２５ｂは、この外部配管２６と二次側配管２との間にそれぞれが並列に設けられている。このためどちらか一方の弁２５ａ，２５ｂが開放されると、外部配管２６側に水が流れる。
【００１２】
弁２５ａ，２５ｂは、弁ボックス５０内に設けられ、この弁ボックス５０内には、制御手段としての制御盤２７が設けられる。弁ボックス５０は、住戸Ｈ内または住戸Ｈの外壁面に設置される。３０は住戸Ｈの外部近傍に設けられたカーポートで、２本の柱３１と、柱３１の上部に設けられた屋根３２とから構成される。弁ボックス５０には、図示しない開閉扉が設けられ、室内及び室外のどちらからでも開放できるようになっている。
【００１３】
外部配管２６は住戸Ｈの外部に引き出され、屋根３２の下方に屋根３２と平行に設置されている。外部配管２６は、図示しない固定金具を介して屋根３２に固定されている。この外部配管２６には、開放型ヘッド３５（開放型スプリンクラヘッド）が接続される。
【００１４】
４０は火災感知器で、カーポート３０の屋根３１の下面に取り付けられている。この火災感知器４０は、無線式の火災感知器で、火災を検知した時には、制御盤２７に電波などのワイヤレスの火災信号を送出する。制御盤２７の制御部は、火災感知器４０が火災を検知して動作する時に、弁２５ｂを開放させる。火災感知器４０は屋根３２の下面に設置されるため、雨があたらないので、防水対策は不要であり、太陽光などの影響も受けにくい。なお、火災感知器４０と制御盤２７を信号線で接続するようにしてもよい。また火災感知器４０は、カーポート３０の柱３１に、住戸Ｈまたはカーポート３０内を監視するように雨よけを設けて取り付けるようにしてもよい。
【００１５】
次に本発明のスプリンクラ消火設備の動作について説明する。住戸Ｈ内で火災が発生すると、スプリンクラヘッド３が動作する。二次側配管２の基端側に設けた流水検知装置５は、スプリンクラヘッド３の動作に伴う流水を検知して動作する。この時、警報盤２０は流水検知装置５からの流水信号を受けると、ブザーを鳴らして火災の発生を警報する。
【００１６】
スプリンクラヘッド３には二次側配管２を介して水道本管１から水が供給され続け、スプリンクラヘッド３は水を放水し続ける。こうして火災は消火される。この後、住戸Ｈ内の人が、火災が鎮火したことを確認して、停止弁７を閉じて、スプリンクラヘッド３への水の供給を停止する。これによりスプリンクラヘッド３からの放水は停止し、さらなる水浸しによる水損を防止できる。
【００１７】
また停止弁１３が住戸Ｈの外に設置されているので、仮に住戸内に人がいなくても、警報盤２０によって火災が発生したことが報知されるので、住戸Ｈの近隣の人がかけつけ、停止弁１３を閉じることで、スプリンクラヘッド３への給水を停止することができる。
【００１８】
また住戸Ｈの外で火災が発生した場合、例えばカーポート３０内の車両のカバーなどが放火により燃えた場合、火災感知器４０が火災を検知して、制御盤２７にワイヤレスの火災信号を出力する。そして制御盤２７の制御部が、弁２５ｂを開放させる。これにより水道本管１の水は、二次側配管２、外部配管２６を通って、開放型ヘッド３５に供給される。これにより開放型ヘッド３５から放水され、火災を消火する。なお住戸Ｈに人がいて、放火された事に気がついた場合には、弁２５ａを手動で開放させることで、開放型ヘッド３５から放水させる。
【００１９】
開放型ヘッド３５は、消火以外にも使用することが可能である。例えば、車両を洗浄する場合には、手動で弁２５ａを開放させる。これにより開放型ヘッド３５から放水され、車両に十分に散水して、洗浄することができる。このように消火設備を消火以外の洗浄にも使用することができるので、消火設備としての使用価値を高めることができる。また二次側配管２内の停滞水は、飲み水としては使用できないが、このように洗浄用として使用することができるので、水が無駄にならない。
【００２０】
本実施の形態では、開放型ヘッドを住戸の外部として、カーポートに設置した場合を説明したが、住戸の軒下や屋根の上に設けてもよい。この場合には、放火のみならず、他の住戸からの延焼を防止することが可能となる。またスプリンクラ消火設備は、二次側配管２内を充水させた湿式のシステムで説明したが、配管２内は乾式であってもよい。また開放型ヘッド３５を、例えば回転継手などを介して外部配管２６と接続するようにしておくと、開放型ヘッドの３５の向きを変えることができるので、近所で火災が発生した場合に、その近所の住居に向けて放水することができるようになる。
【００２１】
【発明の効果】
本発明は以上のように構成され、開放型ヘッドは、住戸の外部に設けられるので、放火や近隣の住戸からの延焼による住戸外の火災を消火することができる。また開放型ヘッドをカーポートに設けたので、消火設備の配管を、車両の洗浄用に使用することができる。このため二次側配管の停滞水は開放型ヘッドから放水されるので、トイレなどに末端給水栓を設けなくてもよい。
【図面の簡単な説明】
【図１】  図１は、本発明の消火設備のシステム図である。
【図２】  図２は、本発明の弁の詳細図である。
【符号の説明】
１  水道本管、  ２  二次側配管、  ３  スプリンクラヘッド、
５  流水検知装置、  ６  逆止弁、  ７  第１の停止弁、
１０  定流量弁、  １１  末端給水栓、  １２  水道メータ、
１３  第２の停止弁、  １４  給水栓、  ２０  警報盤、  ２５  弁、
２５ａ  開閉弁、  ２５ｂ  電動弁、  ２６  外部配管、  ２７  制御盤、
３０  カーポート、  ３１  柱、  ３２  屋根、  ３５  開放型ヘッド、
４０  火災感知器、  ５０  弁ボックス、  Ｈ  住戸、
【図１】
0004210821.tif 000002
【図２】
0004210821.tif 000003